(57)【要約】【課題】電子機器に挿入されている記録媒体に空き容量がなくなった場合でも、画像の記録等が可能な電子機器システム及びペン型入力装置を提供する。【解決手段】本発明の電子機器システム（１）は、タッチ操作による入力が可能な入力部（８）と、記録媒体（３４ａ）が挿入可能な挿入部（３４）または本体内部記録部（３３）と、外部機器が接続可能な本体接続部（１０）と、を有する電子機器（２）、及び前記入力部（８）にタッチ操作することにより入力を行うペン部（２２）と、前記本体接続部（１０）へ接続可能なペン側接続部（２３）と、前記電子機器（２）の前記本体接続部（１０）に前記ペン側接続部（２３）を接続した場合に、前記挿入部（３４）に挿入されている記録媒体（３４ａ）または前記本体内部記録部（３３）との間でデータの移動または複写が可能となるペン側記録部（４５）と、を有するペン型入力装置（３）、を備えることを特徴とする。【選択図】図３
2012015785.tif 000002
【特許請求の範囲】
【請求項１】
タッチ操作による入力が可能な入力部と、
記録媒体が挿入可能な挿入部または本体内部記録部と、
外部機器が接続可能な本体接続部と、を有する電子機器、及び
前記入力部にタッチ操作することにより入力を行うペン部と、
前記本体接続部へ接続可能なペン側接続部と、
前記電子機器の前記本体接続部に前記ペン側接続部を接続した場合に、前記挿入部に挿入されている記録媒体または前記本体内部記録部との間でデータの移動または複写が可能となるペン側記録部と、を有するペン型入力装置、
を備えることを特徴とする電子機器システム。
【請求項２】
請求項１に記載の電子機器システムであって、
前記本体接続部に対する前記ペン側接続部の接続が検知されると、前記挿入部に挿入されている記録媒体または前記本体内部記録部と、前記ペン側記録部との間でデータ移動または複写が開始されること、
を特徴とする電子機器システム。
【請求項３】
請求項１または２に記載の電子機器システムであって、
前記挿入部に挿入されている記録媒体の記録容量と前記本体内部記録部の記録容量とを合わせた記録容量のうちの空き容量が所定量以下の場合、前記挿入部に挿入されている記録媒体または前記本体内部記録部のデータが前記ペン側記録部に移動または複写されること、
を特徴とする電子機器システム。
【請求項４】
請求項１から３のいずれか１項に記載の電子機器システムであって、
前記本体内部記録部の空き容量が所定量より多い場合、前記ペン側記録部のデータが前記本体内部記録部に移動または複写されること、
を特徴とする電子機器システム。
【請求項５】
請求項１から４のいずれか１項に記載の電子機器システムであって、
前記データの移動または複写が、特定のデータについて行われるように該特定のデータを選択可能であること、
を特徴とする電子機器システム。
【請求項６】
請求項１から５のいずれか１項に記載の電子機器システムであって、
前記本体接続部は、ＵＳＢ端子またはＡＶ端子であること、
を特徴とする電子機器システム。
【請求項７】
請求項１から６のいずれか１項に記載の電子機器システムであって、
前記電子機器は、デジタルカメラであることを特徴とする電子機器システム。
【請求項８】
タッチ操作による入力が可能な入力部、記録媒体が挿入可能な挿入部または本体内部記録部、及び外部機器が接続可能な本体接続部を有する電子機器における前記入力部にタッチ操作することにより入力を行うペン部と、
前記本体接続部へ接続可能なペン側接続部と、
前記電子機器の前記本体接続部に前記ペン側接続部を接続した場合に、前記挿入部に挿入されている記録媒体または前記本体内部記録部との間でデータの移動または複写が可能となるペン側記録部と、を有するペン型入力装置。
【発明の詳細な説明】
【技術分野】
【０００１】
本発明は、例えばペン型入力装置での入力が可能な電子機器及びそのペン型入力装置に関するものである。
【背景技術】
【０００２】
電子機器の一種であるデジタルカメラは、撮影画像を記録する記録媒体を挿入する挿入部及び撮影画像や操作画面を表示するための表示部を備えている。従来のデジタルカメラにおいて、表示部がタッチパネルとして機能し、ペン型入力装置で表示部より操作入力が可能なものがある（例えば、特許文献１参照）。
【先行技術文献】
【特許文献】
【０００３】
【特許文献１】特開２００３−２９８９０４号公報
【発明の概要】
【発明が解決しようとする課題】
【０００４】
従来のデジタルカメラにおいては、撮影を続けて記録媒体に空き容量がなくなると、それ以上の画像情報の記録ができなくなる。このため、記録してある情報を削除するか、新たな記憶媒体に交換する必要がある。
【０００５】
本発明の課題は、電子機器に挿入されている記録媒体に空き容量がなくなった場合でも、画像の記録等が可能な電子機器システム及びペン型入力装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項に１記載の発明は、タッチ操作による入力が可能な入力部（８）と、記録媒体（３４ａ）が挿入可能な挿入部（３４）または本体内部記録部（３３）と、外部機器が接続可能な本体接続部（１０）と、を有する電子機器（２）、及び前記入力部（８）にタッチ操作することにより入力を行うペン部（２２）と、前記本体接続部（１０）へ接続可能なペン側接続部（２３）と、前記電子機器（２）の前記本体接続部（１０）に前記ペン側接続部（２３）を接続した場合に、前記挿入部（３４）に挿入されている記録媒体（３４ａ）または前記本体内部記録部（３３）との間でデータの移動または複写が可能となるペン側記録部（４５）と、を有するペン型入力装置（３）、を備えることを特徴とする電子機器システム（１）である。
請求項２に記載の発明は、請求項１に記載の電子機器システム（１）であって、前記本体接続部（１０）に対する前記ペン側接続部（２３）の接続が検知されると、前記挿入部（３４）に挿入されている記録媒体（３４ａ）または前記本体内部記録部（３３）と、前記ペン側記録部（４５）との間でデータ移動または複写が開始されること、を特徴とする電子機器システム（１）である。
請求項３に記載の発明は、請求項１または２に記載の電子機器システム（１）であって、前記挿入部（３４）に挿入されている記録媒体（３４ａ）の記録容量と前記本体内部記録部（３３）の記録容量とを合わせた記録容量のうちの空き容量が所定量以下の場合、前記挿入部（３４）に挿入されている記録媒体（３４ａ）または前記本体内部記録部（３３）のデータが前記ペン側記録部（４５）に移動または複写されること、を特徴とする電子機器システム（１）である。
請求項４に記載の発明は、請求項１から３のいずれか１項に記載の電子機器システム（１）であって、前記本体内部記録部（３３）の空き容量が所定量より多い場合、前記ペン側記録部（４５）のデータが前記本体内部記録部（３３）に移動または複写されること、を特徴とする電子機器システム（１）である。
請求項５に記載の発明は、請求項１から４のいずれか１項に記載の電子機器システム（１）であって、前記データの移動または複写が、特定のデータについて行われるように該特定のデータを選択可能であること、を特徴とする電子機器システム（１）である。
請求項６に記載の発明は、請求項１から５のいずれか１項に記載の電子機器システム（１）であって、前記本体接続部（１０）は、ＵＳＢ端子またはＡＶ端子であること、を特徴とする電子機器システム（１）である。
請求項７に記載の発明は、請求項１から６のいずれか１項に記載の電子機器システム（１）であって、前記電子機器（２）は、デジタルカメラであることを特徴とする電子機器システム（１）である。
請求項８に記載の発明は、タッチ操作による入力が可能な入力部（８）、記録媒体（３４ａ）が挿入可能な挿入部（３４）または本体内部記録部（３３）、及び外部機器が接続可能な本体接続部（１０）を有する電子機器（２）における前記入力部（８）にタッチ操作することにより入力を行うペン部（２２）と、前記本体接続部（１０）へ接続可能なペン側接続部（２３）と、前記電子機器（２）の前記本体接続部（１０）に前記ペン側接続部（２３）を接続した場合に、前記挿入部（３４）に挿入されている記録媒体（３４ａ）または前記本体内部記録部（３３）との間でデータの移動または複写が可能となるペン側記録部（４５）と、を有するペン型入力装置（３）である。
【発明の効果】
【０００８】
本発明によれば、電子機器に挿入されている記録部の空き容量がなくなっても、画像の記録等が可能な電子機器システム及びペン型入力装置を提供することができる。
【図面の簡単な説明】
【０００９】
【図１】本発明の一実施形態におけるカメラシステムを示す斜視図である。
【図２】カメラシステムにおけるカメラの前面を示す斜視図である。
【図３】タッチペンをカメラに接続した状態を示す斜視図である。
【図４】カメラシステムを示すブロック図である。
【図５】カメラシステムの動作を示すフローチャートである。
【発明を実施するための形態】
【００１０】
以下、図面等を参照して、本発明の実施形態について説明する。なお、以下に示す各図には、説明と理解を容易にするために、ＸＹＺ直交座標系を設けた。この座標系では、撮影者が光軸を水平として横長の画像を撮影する場合のカメラの位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
【００１１】
図１〜図３は、本発明をレンズ一体型のデジタルカメラを含むカメラシステム１に適用した一実施形態の外観を示す。図４は、カメラシステム１の内部構成のブロック図を示す。図１〜図３に示すように、カメラシステム１は、カメラ２と、タッチペン３とを有している。
【００１２】
図２に示すように、カメラ２は、筐体４と、筐体４の前面部分に設けられた撮影レンズ５と、撮影用照明部６とを備えている。撮影用照明部６は、撮影用の照明を行う部分であり、被写体に向かって照明光を発して被写体を照明する。筐体４の上面部分には、レリーズ釦７が設けられている。レリーズ釦７は、撮影を行う際に押圧操作される。
【００１３】
図１及び図３に示すように、筐体４の背面には、タッチパネル式表示部８が設けられている。タッチパネル式表示部８は、被写体の画像、撮影した画像、設定された撮影条件、撮影条件を設定するためのメニュー等を可視表示可能である。
そして、タッチパネル式表示部８に撮影条件を設定するためのメニュー等が表示されている際に、そのメニュー等の選択においてタッチパネル式入力が可能な場合、タッチパネル式表示部８の画面の所定部位がタッチペン３でタッチされると、所定の信号が、後述の本体制御部３５に出力される。本体制御部３５は、その信号に基づいて、例えば、タッチされた位置を判定し、その位置に対応する処理を実行する。そのような処理としては、例えば、後に詳述するが、タッチペン３のペン側メモリ４５に、本体記録部３２から画像を移動する際の、移動する画像量の設定等があげられる。なお、タッチパネル式表示部は、タッチパネル方式として例えばマトリクススイッチ方式や抵抗膜方式等のいずれの方式を採用するものであってもよい。
【００１４】
筐体４の一方の側面（Ｘマイナス側の側面）には、本体接続口１０が設けられている。本体接続口１０は、パソコン等の外部機器との接続を行うものであり、例えばＵＳＢポートまたはＡＶポートが用いられる。本実施形態において本体接続口１０は、タッチペン３との電気的接続も可能となっている。
【００１５】
図１に示すように、タッチペン３は、タッチパネル式表示部８への入力を行う部材である。タッチペン３は、ブロック体２１と、ブロック体２１の長さ方向の両側に設けられたペン部２２及びペン側接続端子２３とを備えている。ペン部２２は、ブロック体２１の一方の端部から直線的に延びており、その先端部に尖鋭状のペン先２２ａが形成されている。使用者が、ペン先２２ａを筐体４のタッチパネル式表示部８に接触させることにより所定の入力が行われる。
【００１６】
ペン側接続端子２３は、タッチペン３の長さ方向におけるペン先２２ａに対して反対側の端部に設けられている。ペン側接続端子２３は、カメラ２の本体接続口１０に嵌合可能な形状に形成されており、図３に示すように、ペン側接続端子２３を本体接続口１０に挿入することにより、タッチペン３とカメラ２とが電気的に接続される。
【００１７】
図４に示すように、カメラ２は、その内部に、撮像素子３１、本体記録部３２、及びこれらに接続された本体制御部３５を備える。タッチパネル式表示部８も、本体制御部３５に接続されている。
【００１８】
撮像素子３１としては、撮影レンズ５を通過して撮像面に結像した像を電気信号に変換するものであり、ＣＣＤ（Ｃｈａｒｇｅ  Ｃｏｕｐｌｅｄ  Ｄｅｖｉｃｅ）またはＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等が用いられる。撮像素子３１は、変換した電気信号を本体制御部３５に出力する。本体制御部３５は、入力された電気信号をタッチパネル式表示部８に出力するとともに、本体記録部３２に記録する。
【００１９】
本体記録部３２は、内蔵メモリ３３及びメモリスロット３４を備える。このメモリスロット３４にはメモリカード３４ａが挿入可能である。内蔵メモリ３３としては、フラッシュメモリ等の書き換え可能な不揮発性メモリを用いることができる。メモリスロット３４に差し込み可能なメモリカード３４ａは、例えばＳＤカードやコンパクトフラッシュ（登録商標）カード等である。
【００２０】
本体制御部３５は、カメラ２の全体の制御を行う部分であり、本体制御部３５には、本体制御部３５を動作するプログラムが記憶された書き換え可能な不揮発性ＲＡＭ３６が接続されている。
例えば、本体記録部３２の記録容量が所定量以下となり、これ以上の画像の記録ができない状態となると、本体制御部３５は、その状態を検出する。そして、本体制御部３５は、不揮発性ＲＡＭ３６に記憶されたプログラムに基づいて、タッチパネル式表示部８に、例えば「メモリの残量が足りません」といった、これ以上の記録が困難であるという警告を表示させることを指示する信号を送る。タッチパネル式表示部８は、その警告表示の指示信号に基づいて例えば「メモリの残量が足りません」といった警告表示を行う。
【００２１】
タッチペン３は、ブロック体２１の内部に、ペン側メモリ４５及びペン側制御部４７を備える。ペン側メモリ４５は、フラッシュメモリ等の書き換え可能な不揮発性メモリが用いられる。ペン側制御部４７は、タッチペン３の全体の制御を行うものである。タッチペン３のペン側接続端子２３は、ペン側制御部４７に接続されている。
【００２２】
本実施形態においては、タッチペン３のペン側接続端子２３が、カメラ２の本体側接続部１０に接続されると、その接続が本体制御部３５によって検知される。本体制御部３５は、不揮発性メモリ３６に記憶されたプログラムに従い、図５及び以下に説明する、移動動作を行う。
【００２３】
タッチペン３のペン側接続端子２３が、カメラ２の本体側接続部１０に接続されると、本体制御部３５は、タッチペン３のペン側接続端子２３が、カメラ２の本体側接続部１０に接続されたことを検知する（Ｓ１１，Ｙｅｓ）。
次に、本体制御部３５は、本体記録部３２の記録容量に所定量以上（例えば１枚の画像を記録できる程度）の空きがあるかどうかを判断する（Ｓ１２）。
ここで本体記録部３２に空き容量がない場合、すなわち、本体制御部３５によって、本体記録部３２に空きがない状態が検出され、本体制御部３５からタッチパネル式表示部８に警告表示が指示され、タッチパネル式表示部８に、「メモリの残量が足りません」といった警告が表示されている場合は、ステップＳ１３に進む。
一方、本体記録部３２に所定量以上の空き容量がある場合、すなわち、本体制御部３５によってタッチパネル式表示部８に、上述した「メモリの残量が足りません」といった警告が表示されていない場合は、ステップＳ１４に進む。
【００２４】
ステップＳ１３で本体制御部３５は、本体記録部３２の画像をペン側メモリ４５に移動するように制御する。すなわち、本体制御部３５は、本体記録部３２の画像の、タッチペン３側への移動を開始する。タッチペン３のペン側制御部４７は、本体記録３２から送られてきた画像をペン型メモリ４５に記録させる。この際、本体記録部３２におけるペン型メモリ４５に移動された画像は、本体記録部３２から削除される。これにより、本体記録部３２に容量の空きが発生する。従って、カメラ２が新たに撮影した画像を本体記録部３２に記録することができる。
【００２５】
ここで、タッチペン３のペン側メモリ４５に本体記録部３２から移動する量について使用者は、例えば、タッチペン３によるタッチパネル式表示部８への入力により、事前に本体制御部３５に対して設定可能となっている。
具体的には、これに限定されるものではないが、例えば、
１）ペン側メモリ４５の容量の範囲内で可能な限りのデータを移動させる、
２）本体記録部３２に例えば１００Ｍ、５００Ｍ等の所定量の空きを形成するように移動させる、といった事項がタッチパネル式表示部８に表示され、いずれかをタッチペン３によって選択可能となっている。
使用者は、タッチパネル式表示部８におけるこれらの選択事項から、希望する移動量をタッチペン３で選択する。この選択によって、タッチペン３のペン側メモリ４５に本体記録部３２から移動する量が本体制御部３５に対して設定できるようになっている。
【００２６】
ステップＳ１２において本体記録部３２に空き容量があると判断された場合、ステップ１４で本体制御部３５は、ペン側メモリ４５のペン側制御部４７と協動し、、ペン側メモリ４５の画像の、カメラ２の本体記録部３２への移動を開始する。
【００２７】
以上、本実施形態によると、以下の効果を有する。
（１）カメラ２の本体記録部３２に空き容量がないとき、タッチペン３のペン側メモリ４５に画像等の情報を移動させることができる。このため、記録済の情報を本体記録部３２から削除したりして空き容量を形成する必要がなく、また予備のメモリカードを準備して携帯する必要がない。
【００２８】
（２）本実施形態において、カメラ２の本体接続口１０としては、ＵＳＢポートまたはＡＶポートが用いられ、ペン側接続端子２３は、その端子の形状に合わせてＵＳＢ端子またはＡＶ端子の形状となっている。このように本体接続口１０としてＵＳＢポートまたはＡＶポートを用いることにより、本体接続口１０はタッチペン３との接続に加え、ケーブルを介してパソコン等の外部機器との接続が可能な汎用の接続部となる。このため、タッチペン３専用のポートを配置する必要がなく、構造が簡単となる。
【００２９】
（変形形態）
以上、説明した実施形態に限定されることなく、以下に示すような種々の変形や変更が可能であり、それらも本発明の範囲内である。
（１）本体記録部３２に記録されている画像において、特定の画像については本体記録部３２に残しておきたい場合や特定の画像のみを移動させたい場合も考えられる。この場合、以下のようにしても良い。
例えば、使用者の入力に基づいて本体制御部３２は、タッチパネル式表示部８に本体記録部３２に記録されている画像を表示させる。使用者は、タッチペン３等により画像を選択する。本体制御部３２は、この選択された画像について、ペン側メモリ４５に移動しないようさせたり、また選択された画像だけをペン側メモリ４５に移動させるようさせたりする。
【００３０】
（２）また、逆に、ペン側メモリ４５の画像をカメラ２の本体記録部３２に移動させる場合も、特定の画像についてはペン側メモリ４５に残しておきたい場合や特定の画像のみを移動させたい場合も考えられる。
この場合、以下のようにしても良い。
使用者の入力に基づいて本体制御部３２は、タッチパネル式表示部８にペン側メモリ４５に記録されている画像を表示させる。使用者は、画像を選択する。本体制御部３２は、選択された画像について、本体記録部３２に移動しないようさせたり、また選択された画像だけを本体記録部３２に移動させるようさせたりする。
但し、この際、タッチペン３はカメラ２に接続されているためタッチペン３によりタッチパネル式表示部８から画像を選択することはできない。このため、この際の画像選択は別途カメラに設けられた釦やユーザの指のタッチ等によって選択可能としてもよい。
【００３１】
（３）上述の実施形態では、タッチペン３のペン側メモリ４５を、カメラ２側の本体記録部３２の容量が足りなくなった場合の予備的な記録媒体として使用する例について説明した。しかし、本発明はこれに限定されない。例えば、カメラ２側の本体記録部３２のデータを、本体記録部３２のデータは残したままタッチペン３のペン側メモリ４５に複写し、タッチペン３のペン側メモリ４５をカメラ２側の本体記録部３２のバックアップ用の記録媒体として使用することもできる。
【００３２】
この場合、例えば、事前にカメラ側でバックアップモードを選択可能とする。そして、バックアップモードが選択されている状況で、カメラ２にタッチペン３が取り付けられた場合、カメラ２の本体記録部３２の画像を本体記録部３２に残したまま、タッチペン３のペン側メモリ４５への画像の複写が開始される。
この際も、上記（１）と同様に、本体記録部３２に記録されている画像において、特定の画像を選択して、選択された画像だけが本体制御部３５とペン側制御部４７との協動によりペン側メモリ４５にバックアップされるようにすることもできる。
【００３３】
（４）さらに、上記（３）と逆方向、すなわち、タッチペン３に記録されている画像の本体記録部３２におけるバックアップ（以後、バックアップ回復という）ができるようにしてもよい。この場合も事前にカメラ２においてバックアップ回復モードを選択可能とする。そして、バックアップ回復モードが選択されている状況で、カメラ２にタッチペン３が取り付けられた場合、タッチペン３のペン側メモリ４５の画像をペン側メモリ４５に残したまま、本体制御部３２とペン側制御部４７との協動によりして、カメラ２の本体記録部３２への画像の複写が開始される。
この際も、上記（２）と同様に、タッチペン３に記録されている画像において、特定の画像を選択して、選択された画像だけがバックアップされるようにすることもできる。
【００３４】
（５）上述の実施形態では、タッチペン３を接続するためにカメラ２に汎用の本体接続口１０を設けているが、これに限らずタッチペン３専用の本体接続口１０を用いてもよい。
【００３５】
（６）上述の実施形態では、レンズ一体型のいわゆるコンパクトカメラを含むカメラシステムについて説明したがこれに限定されず、一眼レフカメラを含むカメラシステムであってもよい。また、本実施形態は、デジタルカメラを含むカメラシステム１に適用した例について説明したがこれに限定されず、携帯電話機、ＰＨＳ、パソコン等を含む電子機器システムに適用してもよい。
【００３６】
（７）本実施形態では、タッチペン３をカメラ２の本体接続口１０に挿入することにより、カメラ２とのタッチペン３との電気的な接続を行っているが、これに限らず、ケーブル等を用いてタッチペン３をカメラ２に接続してもよい。
（８）また、画像データの記録用の構成部としては、メモリスロット３４に挿入したメモリカード３４ａ等の記憶媒体と、内蔵メモリ３３とのいずれで構成しても良い。
なお、実施形態及び変形形態は、適宜組み合わせて用いることもできるが、詳細な説明は省略する。また、本発明は以上説明した実施形態によって限定されることはない。
【符号の説明】
【００３７】
１：カメラシステム、２：カメラ、３：タッチペン、８：タッチパネル式表示部、１０：本体接続口、２２：ペン部、２３：ペン側接続端子、３３：内蔵メモリ、３４：メモリスロット、３４ａ：メモリカード、４５：ペン側メモリ
【図１】
2012015785.tif 000003
【図２】
2012015785.tif 000004
【図３】
2012015785.tif 000005
【図４】
2012015785.tif 000006
【図５】
2012015785.tif 000007